(57)【要約】【課題】  パワーオンパスワード等が設定されたリモートＰＣの起動乃至シャッダウン。【解決手段】  クライアントＰＣから起動指令信号又はシャットダウン指令信号を受信することにより、リモートＰＣ50の起動及び停止を制御するリモート電源制御装置40を備えるリモート電源制御システムであって、パワーオンパスワード及びＨＤＤパスワードが設定されたセキュリティロック機能52を有するリモートＰＣ50と、クライアントＰＣ10からネットワークを介して起動指令信号を受けたとき、リモートＰＣ50にセキュリティロック機能のパワーオンパスワード及び又はＨＤＤパスワードをＵＳＢ又はＰＳ／２インタフェースを介してリモートＰＣ50に送出するキーボートインタフェース機能43と、リモートＰＣ50に電力を供給するリモート電源制御機能41と、リモートＰＣ50の停止中に第１の固定ＩＰアドレスを設定し、リモートＰＣ50の起動後に第２の固定ＩＰアドレスに切り替えるＩＰアドレス切替機能44とを有するリモート電源制御装置40とを備えるもの。【選択図】  図１
2007219762.tif 000002
【特許請求の範囲】
【請求項１】
ネットワークに続されたクライアントＰＣから起動指令信号又はシャットダウン指令信号を受信することにより、リモートＰＣの起動及び停止を制御するリモート電源制御装置を備えるリモート電源制御システムであって、
ＢＩＯＳの制御下におけるパワーオンパスワード及びＨＤＤパスワードが設定されたセキュリティロック機能を有するリモートＰＣと、
前記クライアントＰＣからネットワークを介して起動指令信号を受けたとき、前記リモートＰＣに前記セキュリティロック機能のパワーオンパスワード及び又はＨＤＤパスワードをＵＳＢ又はＰＳ／２インタフェースを介してリモートＰＣに送出するキーボートインタフェース機能と、前記リモートＰＣに電力を供給するリモート電源制御機能と、前記リモートＰＣの停止中に第１の固定ＩＰアドレスを設定し、前記リモートＰＣが起動後に前記第１の固定ＩＰアドレスを第２の固定ＩＰアドレスに切り替えるＩＰアドレス切替機能とを有するリモート電源制御装置とを備えることを特徴とするリモート電源制御システム。
【請求項２】
前記リモートＰＣが、シャットダウン指令信号によりリモートＰＣの動作を停止する停止機能及び電源供給を停止するシャットダウン機能を有し、
前記リモート電源制御装置が、前記クライアントＰＣからネットワークを介してシャットダウン指令信号を受けたとき、前記リモートＰＣにシャットダウンの指示信号をネットワーク又はＵＳＢ又はＰＳ／２インタフェースを介してリモートＰＣに送出するシャットダウン操作機能と、前記リモートＰＣへの電力供給を停止するリモート電源制御機能とを備えることを特徴とする請求項１記載のリモート電源制御システム。
【請求項３】
前記リモート電源制御装置のキーボートインタフェース機能が、前記リモートＰＣのパワーオンパスワード及び又はＨＤＤパスワードを記憶する機能を有する、又はクライアントＰＣからネットワークを介してリモートＰＣのパワーオンパスワード及び又はＨＤＤパスワードを受信し、中継出力する機能を有することを特徴とする請求項１又は２記載のリモート電源制御システム。
【請求項４】
前記ＩＰアドレス切替機能が、リモートＰＣが停止中は前記第１固定ＩＰ固定アドレスに設定し、リモートＰＣが起動中は前記第２の固定ＩＰアドレスに設定することを特徴とする請求項１又は２又は３記載のリモート電源制御システム。
【請求項５】
ネットワークに続されたクライアントＰＣから起動指令信号又はシャットダウン指令信号を受信することにより、リモートＰＣの起動及び停止を制御するリモート電源制御装置と、ＢＩＯＳの制御下におけるパワーオンパスワード及びＨＤＤパスワードが設定されたセキュリティロック機能と、起動中のみに第１の固定ＩＰアドレスが設定されるＩＰアドレス切替機能とを有するリモートＰＣとを備えるリモート電源制御システムのリモート電源制御装置であって、
前記クライアントＰＣからネットワークを介して起動指令信号を受けたとき、前記リモートＰＣに前記セキュリティロック機能のパワーオンパスワード及び又はＨＤＤパスワードをＵＳＢ又はＰＳ／２インタフェースを介してリモートＰＣに送出するキーボートインタフェース機能と、前記リモートＰＣに電力を供給するリモート電源制御機能と、前記リモートＰＣの停止中に前記第１の固定ＩＰアドレスを設定し、前記リモートＰＣが起動後に前記第１の固定ＩＰアドレスを第２の固定ＩＰアドレスに切り替えるＩＰアドレス切替機能とを備えることを特徴とするリモート電源制御装置。
【請求項６】
シャットダウン指令信号によりリモートＰＣの動作を停止する停止機能及び電源供給を停止するシャットダウン機能を有するリモートＰＣを含むリモート電源制御システムのリモート電源制御装置であって、
前記リモート電源制御装置が、前記クライアントＰＣからネットワークを介してシャットダウン指令信号を受けたとき、前記リモートＰＣにシャットダウンの指示信号をネットワーク又はＵＳＢ又はＰＳ／２インタフェースを介してリモートＰＣに送出するシャットダウン操作機能と、前記リモートＰＣへの電力供給を停止するリモート電源制御機能とを備えることを特徴とする請求項５記載のリモート電源制御装置。
【請求項７】
前記リモート電源制御装置のキーボートインタフェース機能が、前記リモートＰＣのパワーオンパスワード及び又はＨＤＤパスワードを記憶する機能を有する、又はクライアントＰＣからネットワークを介してリモートＰＣのパワーオンパスワード及び又はＨＤＤパスワードを受信し、中継出力する機能を有することを特徴とする請求項５又は６記載のリモート電源制御装置。
【請求項８】
前記ＩＰアドレス切替機能が、リモートＰＣが停止中は前記第１固定ＩＰ固定アドレスに設定し、リモートＰＣが起動中は前記第２の固定ＩＰアドレスに設定することを特徴とする請求項５又は６又は７記載のリモート電源制御装置。
【発明の詳細な説明】
【技術分野】
【０００１】
本発明は、遠隔して配置されたリモートコンピュータ（ＰＣ）の電源オンオフを制御することができるリモート電源制御システム及びリモート電源制御装置に係り、特に起動がＢＩＯＳ制御下におけるパワーオンパスワードやＨＤＤパスワードによりセキュリティロックされたリモートＰＣの電源オンオフを制御することができるリモート電源制御システム及びリモート電源制御装置に関する。
【背景技術】
【０００２】
近年、コンピュータシステムを遠隔地から起動停止する技術が要望され、例えば下記特許文献に、遠隔地の在する通信装置と接続する通信インタフェースと、コンピュータに電力を供給する電源インタフェースと、該コンピュータに制御信号を供給する信号インタフェースとを備え、通信装置からパスワード付きの起動指示信号を受信したとき、該パスワードを解析して正当な通信装置からの起動要求の場合、前記電源インタフェースを介してコンピュータに電力を供給するリモート電源システムが提案されている。
【特許文献１】特開平１０−２６０７５５号公報
【発明の開示】
【発明が解決しようとする課題】
【０００３】
前述の従来技術によるリモート電源システムは、正当な通信装置を認識してコンピュータに電力を供給することができるものの、近年のコンピュータにおいては起動時にＢＩＯＳ（Basic Input Output System）制御下におけるパワーオンパスワードやＨＤＤパスワードによりセキュリティロックがかけられていた場合、コンピュータがパワーオンパスワード入力待ちの状態で停止し、コンピュータが使用可能な状態に起動することができないと言う不具合があった。
【０００４】
本発明の目的は、前述の従来技術による不具合を除去することであり、ＢＩＯＳが管理するパワーオンパスワードやＨＤＤパスワードによりセキュリティロックがかけられているコンピュータであっても使用可能な状態に起動する及び停止することができるリモート電源制御システム及びリモート電源制御装置を提供することである。
【課題を解決するための手段】
【０００５】
前記目的を達成するために本発明は、ネットワークに続されたクライアントＰＣから起動指令信号又はシャットダウン指令信号を受信することにより、リモートＰＣの起動及び停止を制御するリモート電源制御装置を備えるリモート電源制御システムにおいて、ＢＩＯＳの制御下におけるパワーオンパスワード及びＨＤＤパスワードが設定されたセキュリティロック機能を有するリモートＰＣと、前記クライアントＰＣからネットワークを介して起動指令信号を受けたとき、前記リモートＰＣに前記セキュリティロック機能のパワーオンパスワード及び又はＨＤＤパスワードをＵＳＢ又はＰＳ／２インタフェースを介してリモートＰＣに送出するキーボートインタフェース機能と、前記リモートＰＣに電力を供給するリモート電源制御機能と、前記リモートＰＣの停止中に第１の固定ＩＰアドレスを設定し、前記リモートＰＣが起動後に前記第１の固定ＩＰアドレスを第２の固定ＩＰアドレスに切り替えるＩＰアドレス切替機能とを有するリモート電源制御装置とを備えることを第１の特徴とする。
【０００６】
また本発明は、前記リモート電源制御システムにおいて、前記リモートＰＣが、シャットダウン指令信号によりリモートＰＣの動作を停止する停止機能及び電源供給を停止するシャットダウン機能を有し、前記リモート電源制御装置が、前記クライアントＰＣからネットワークを介してシャットダウン指令信号を受けたとき、前記リモートＰＣにシャットダウンの指示信号をネットワーク又はＵＳＢ又はＰＳ／２インタフェースを介してリモートＰＣに送出するシャットダウン操作機能と、前記リモートＰＣへの電力供給を停止するリモート電源制御機能とを備えることを第２の特徴とする。
【０００７】
更に本発明は、前記何れかのリモート電源制御システムにおいて、前記リモート電源制御装置のキーボートインタフェース機能が、前記リモートＰＣのパワーオンパスワード及び又はＨＤＤパスワードを記憶する機能を有する、又はクライアントＰＣからネットワークを介してリモートＰＣのパワーオンパスワード及び又はＨＤＤパスワードを受信し、中継送出する機能を有することを第３の特徴とし、前記何れかのリモート電源制御システムにおいて、前記ＩＰアドレス切替機能が、リモートＰＣが停止中は前記第１固定ＩＰ固定アドレスに設定し、リモートＰＣが起動中は前記第２の固定ＩＰアドレスに設定することを第４の特徴とする。
【０００８】
更に本発明は、ネットワークに続されたクライアントＰＣから起動指令信号又はシャットダウン指令信号を受信することにより、リモートＰＣの起動及び停止を制御するリモート電源制御装置と、ＢＩＯＳの制御下におけるパワーオンパスワード及びＨＤＤパスワードが設定されたセキュリティロック機能と、起動中のみに第１の固定ＩＰアドレスが設定されるＩＰアドレス切替機能とを有するリモートＰＣとを備えるリモート電源制御システムのリモート電源制御装置であって、前記クライアントＰＣからネットワークを介して起動指令信号を受けたとき、前記リモートＰＣに前記セキュリティロック機能のパワーオンパスワード及び又はＨＤＤパスワードをＵＳＢ又はＰＳ／２インタフェースを介してリモートＰＣに送出するキーボートインタフェース機能と、前記リモートＰＣに電力を供給するリモート電源制御機能と、前記リモートＰＣの停止中に前記第１の固定ＩＰアドレスを設定し、前記リモートＰＣが起動後に前記第１の固定ＩＰアドレスを第２の固定ＩＰアドレスに切り替えるＩＰアドレス切替機能とを備えることを第５の特徴とする。
【０００９】
また本発明は、シャットダウン指令信号によりリモートＰＣの動作を停止する停止機能及び電源供給を停止するシャットダウン機能を有するリモートＰＣを含む前記第１の特徴によるリモート電源制御装置において、前記リモート電源制御装置が、前記クライアントＰＣからネットワークを介してシャットダウン指令信号を受けたとき、前記リモートＰＣにシャットダウンの指示信号をネットワーク又はＵＳＢ又はＰＳ／２インタフェースを介してリモートＰＣに送出するシャットダウン操作機能と、前記リモートＰＣへの電力供給を停止するリモート電源制御機能とを備えることを第６の特徴とする。
【００１０】
更に本発明は、前記何れかのリモート電源制御装置において、前記リモート電源制御装置のキーボートインタフェース機能が、前記リモートＰＣのパワーオンパスワード及び又はＨＤＤパスワードを記憶する機能を有する、又はクライアントＰＣからネットワークを介してリモートＰＣのパワーオンパスワード及び又はＨＤＤパスワードを受信し、中継送出する機能を有することを特徴とする第７の特徴とする。
また本発明は、前記ＩＰアドレス切替機能が、リモートＰＣが停止中は前記第１固定ＩＰ固定アドレスに設定し、リモートＰＣが起動中は前記第２の固定ＩＰアドレスに設定することを第８の特徴とする。
【発明の効果】
【００１１】
本発明によるリモート電源制御システムは、リモートＰＣが停止中にクライアントＰＣからネットワークを介してリモートＰＣへのリモートアクセス要求を第１の固定ＩＰアドレスが設定されたリモート電源制御装置が、受信したとき、リモートＰＣに電力を供給するリモート電源制御機能と、リモートＰＣにセキュリティロック機能のパワーオンパスワード及び又はＨＤＤパスワードをＵＳＢ又はＰＳ／２インタフェースを介してリモートＰＣに送出するキーボートインタフェース機能と、リモートＰＣの起動後に前記リモート電源制御装置のＩＰアドレスを第２の固定ＩＰアドレスに切り替えるＩＰアドレス切替機能とを有するとを備えることによって、クライアントＰＣがリモートＰＣの電源投入及びパスワード入力によるセキュリティロック解除を行い、リモートＰＣを起動することができる。
【００１２】
また本発明によるリモート電源制御システムは、リモート電源制御装置が、クライアントＰＣからネットワークを介してシャットダウン指令信号を受けたとき、リモートＰＣにシャットダウンの指示信号をネットワーク又はＵＳＢ又はＰＳ／２インタフェースを介してリモートＰＣに送出するシャットダウン操作機能と、リモートＰＣへの電力供給を停止するリモート電源制御機能とを備えることにより、クライアントＰＣがリモートＰＣのシャットダウン及び電力供給を停止することができる。
【発明を実施するための最良の形態】
【００１３】
以下、本発明によるリモート電源制御システムの一実施形態を図面を参照して詳細に説明する。
<構成の説明>
【００１４】
図１は、本実施形態によるリモート電源制御システムの全体構成を示す図であり、このリモート電源制御システム１は、遠隔地に配置されたクライアントコンピュータ（ＰＣ）１０とインターネット２０を介して接続されたネットワーク機器３０と、該ネットワーク機器３０と接続され、電力供給乃至起動等の対象となるリモートＰＣ５０と、前記ネットワーク機器３０と接続され、前記リモートＰＣ５０への電力供給乃至起動等を行うキーボードインタフェース付きリモート電源制御装置４０とから構成される。
【００１５】
前記リモートＰＣ５０は、一般のパーソナルコンピュータであり、キーボードやマウス等と接続され、システム起動時にＯＳ（オペレーティングシステム）やアプリケーションがＰＣに接続されたハードディスク／キーボード／グラフィックスボード等のデバイスにアクセスするための機能を提供するプログラムであるＢＩＯＳ（Basic Input Output System）５２と、シャッダウン機能５３ａを含むＯＳ５３とを備え、第１の固定ＩＰアドレスが設定されているものとする。
【００１６】
また前記ＢＩＯＳ５２は、標準機能として電源投入時にパスワード入力を要求するパワーオンパスワード機能５２ａと、ハードディスクの起動時にパスワード入力を要求するＨＤＤパスワード機能５２ｂとを有するものである。
【００１７】
本実施形態の特徴であるキーボードインタフェース付き電源制御装置４０は、リモートＰＣ５０の電源コンセントが挿入され、前記第１の固定ＩＰアドレスと該第１の固定ＩＰアドレスと異なる第２の固定ＩＰアドレスとを切り替える機能（本願においては、ＩＰアドレス切替機能４４と呼ぶ）と、リモートＰＣ５０へ電力を供給するためのリモート電源制御機能４１と、キーボードインタフェース機能４３とを備える。
【００１８】
特に本実施形態によるキーボードインタフェース機能４３は、リモートＰＣ５０の起動又は停止を制御するためのＰＣ起動／停止機能４２からの起動指示によってリモートＰＣ５０の前記パワーオンパスワード及びＨＤＤパスワードをＵＳＢ又はＰＳ／２ケーブルを介して出力するためのパスワード出力機能４３ａと、該ＰＣ起動／停止機能４２からの停止指示によってリモートＰＣ５０の停止の際に使用されるシャットダウン指令信号をＵＳＢ又はＰＳ／２ケーブルを介して出力するためのシャットダウン操作機能４３ｂとを有し、リモートＰＣ１０が停止中は、リモートＰＣのＩＰアドレス（第１の固定ＩＰアドレス）によりクライアントＰＣ１０からリモートＰＣ５０へのリモートアクセス要求（指令信号）を第１の固定ＩＰアドレスを用いて受信し、リモート電源制御機能４１によりＡＣ電源出力のオン動作を行い、パスワードを入力し、セキュリティロックを解除するものである。また、クライアントＰＣ１０が起動中は該クライアントＰＣ１０から制御指令を受信してリモート電源制御機能４１によりＡＣ電源出力のオフ動作を行うものである。
【００１９】
ＰＣ起動／停止機能４２は、リモート電源制御機能４１の指示によって、ネットワークを介してリモートＰＣ５０の起動（ＷＯＬ）機能４２ａ、停止（シャットダウン）機能４２ｂも備える。ここで、ＷＯＬとは、Ｗａｋｅ Ｏｎ ＬＡＮ（ウェイクオンラン）の略であり、ＭａｇｉｃＰａｃｋｅｔ（マジックパケット）と呼ばれる特殊なパケットをＰＣに送信することでそのＰＣを起動する技術である。
<動作の説明>
【００２０】
<起動時>
さて、このように構成されたリモート電源制御システムは、リモートＰＣ５０が停止状態において機能が停止又は休止されている状態において、クライアントＰＣ１０が遠隔地に配置されたリモートＰＣ５０を起動する場合、クライアントＰＣ１０がインターネット２０を介して起動指令信号をリモートＰＣ５０の第１の固定ＩＰアドレス宛に送信し、これをネットワーク機器３０を介して受けたキーボードインタフェース付きリモート電源制御装置４０が、図２に示す如く、次の動作を実行する。
【００２１】
［ステップ０１］  リモート電源制御機能４１がリモートＰＣ５０のコンセントが接続された電源ケーブルに電力を印加することによって、リモートＰＣ５０に電力を供給する。
【００２２】
［ステップ０２］  該ステップ０１に続き、ＰＣ起動／停止機能４２が、ネットワークを介してＰＣ起動指令信号（ＷＯＬ ＭａｇｉｃＰａｃｋｅｔ）を送出することによってリモートＰＣ５０を起動する。
【００２３】
［ステップ０３］  該ステップ０２に続き、キーボードインタフェース機能４３が、リモートＰＣ５０におけるＢＯＩＳによる接続デバイスチェック等が終了したタイミング（ＰＣがパワーオンパスワード入力待ちの状態になる迄に要する時間経過後のタイミング）に合わせ、パスワード出力機能４３ａを用いて予め記憶しているリモートＰＣ５０のパワーオンパスワード及びＨＤＤパスワードとをリモートＰＣ５０のＢＯＩＳ５に送出する。
【００２４】
これら一連の動作によって本実施形態によるリモート電源制御システムは、キーボードインタフェース付きリモート電源制御装置４０が、リモート電源制御機能４１を用いてクライアントＰＣ１０と遠隔地に在するリモートＰＣ５０に対して電源投入を行うと共に、パスワード出力機能４３ａを用いてパワーオンパスワード及びＨＤＤパスワードをＵＳＢケーブル等を介してリモートＰＣ５０に送出することよって、遠隔地からの指令にであってもＢＯＩＳ制御下にあるパワーオンパスワード及びＨＤＤパスワードによるセキュリティロックがかかったリモートＰＣ５０を正常に起動することができる。
【００２５】
尚、前記実施形態においては、パワーオンパスワード及びＨＤＤパスワードをパスワード出力機能４３ａが予め記憶している例を説明したが、本発明はこれに限られるものではなく、クライアントＰＣ１０側にパワーオンパスワード及びＨＤＤパスワードを入力又は、予め格納しておき、リモートＰＣ５０の起動指令送出時に当該パスワードを前記リモート電源制御装置４０に送信し、これを受信した前記リモート電源制御装置４０がリモートＰＣ５０に送出するように構成しても良い。
<停止時>
【００２６】
さて、本実施形態によるリモート電源制御システムは、リモートＰＣ５０が動作状態においては、リモートＰＣ５０は第１の固定ＩＰアドレスが割り当てられ、前記リモート電源制御装置４０には第２の固定ＩＰアドレスが割り当てられている。これらＩＰアドレスの割り当て（設定）は、リモートＰＣ５０側ではＯＳ又は専用アプリレーションにより行われ、前記リモート電源制御装置４０側ではＩＰアドレス切替機能４４によって行われるものである。
【００２７】
さて、この状態でクライアントＰＣ１０が前記リモートＰＣ５０を停止する場合、本システムは、クライアントＰＣ１０がインターネット２０を介してシャットダウン指令信号を第２の固定ＩＰアドレス宛に送信し、これをネットワーク機器３０を介して受けたキーボードインタフェース付きリモート電源制御装置４０が、図２に示す如く、次の動作を実行する。
【００２８】
［ステップ１０］  ＰＣ起動／停止機能４２が、ネットワークを介してリモートＰＣ５０へシャットダウン指令信号を送出し、リモートＰＣ５０をシャットダウンする。または、キーボードインタフェース機能４３を用いてシャットダウン操作機能４３ｂによりＵＳＢケーブル等を介してリモートＰＣ５０へシャットダウン操作キー入力を送出し、リモートＰＣ５０をシャットダウンする。
【００２９】
［ステップ１１］  該ステップ０１に続き、ＰＣ起動／停止機能４２が、リモートＰＣ５０におけるシャットダウンに要する時間経過した（シャットダウンが終了した）タイミングに合わせ、リモート電源制御機能４１を用いてリモートＰＣ５０のコンセントが接続された電源ケーブルへの電力印加を停止し、リモートＰＣ５０に電力供給を停止する。
【００３０】
これら一連の動作によって本実施形態によるリモート電源制御システムは、クライアントＰＣ１０からの停止指示を第２の固定ＩＰアドレスを用いてキーボードインタフェース付きリモート電源制御装置４０が受け、シャットダウン操作機能４３ｂによりリモートＰＣ５０を正常終了した後、リモート電源制御機能４１がリモートＰＣ５０への電力供給を停止することによって、リモートＰＣ５０を正常に停止させることができる。
【００３１】
尚、前記実施形態においては、キーボードインタフェース付き電源制御装置４０が２つの固定ＩＰアドレスをリモートＰＣ５０の動作状態によって切り替え、クライアントＰＣ１０からの指令を前記電源制御装置４０が受ける例を説明したが、本発明は、これに限られるものではなく、例えばリモートＰＣ５０の停止時にはクライアントＰＣ１０からの指令を前記電源制御装置４０が受け、リモートＰＣ５０の動作時にはクライアントＰＣ１０からの指令を第１の固定ＩＰアドレスを用いてリモートＰＣ５０が受け、該リモートＰＣ５０がネットワーク機器３０を介して前記電源制御装置４０に停止制御を指示し、これを受けた前記電源制御装置４０のＰＣ起動／停止機能４２が前述と同様な停止処理を行う様に構成しても良い。
【００３２】
また本発明は、次のように表すこともできる。
クライアントＰＣから起動指令信号及び又はシャットダウン指令信号をネットワークを介して受信することにより、ＢＩＯＳ制御下におけるパワーオンパスワード及び又はＨＤＤパスワードが設定されたセキュリティロック機能を有するリモートＰＣの起動及び停止を制御するリモート電源制御システムのリモート電源制御装置であって、
前記クライアントＰＣからネットワークを介して起動指令信号を受けたとき、前記リモートＰＣに前記セキュリティロック機能のパワーオンパスワード及び又はＨＤＤパスワードをＵＳＢ又はＰＳ／２インタフェースを介してリモートＰＣに送出するキーボートインタフェース機能と、前記リモートＰＣに電力を供給するリモート電源制御機能と、前記リモートＰＣの停止中に前記第１の固定ＩＰアドレスを設定し、前記リモートＰＣが起動後に前記第２の固定ＩＰアドレスに切り替えるＩＰアドレス切替機能とを有するリモート電源制御装置。
【図面の簡単な説明】
【００３３】
【図１】本発明による本実施形態によるリモート電源制御システムの全体構成を示す図。
【図２】本発明による本実施形態によるリモート電源制御システムの動作の流れを示す図。
【符号の説明】
【００３４】
１：リモート電源制御システム、２０：インターネット、３０：ネットワーク機器、４０：リモート電源制御装置、４１：リモート電源制御機能、４２：ＰＣ起動／停止機能、４２ａ：ＷＯＬ（ＷａｋｅＯｎＬＡＮ）機能、４２ｂ：シャットダウン指令機能、４３：キーボードインタフェース機能、４３ａ：パスワード出力機能、４３ｂ：シャットダウン操作機能、４４：ＩＰアドレス切替機能、５２ａ：パワーオンパスワード機能、５２ｂ：ＨＤＤパスワード機能、５３ａ：シャッダウン機能。
【図１】
2007219762.tif 000003
【図２】
2007219762.tif 000004